(57)【要約】【課題】    イベント発生に伴うレンジ切り替えを自動的に行う記録計を提供する。【解決手段】    各種測定条件を記憶する記録計において、  優先順位が設定された複数のレンジをチャネルごとに格納する記憶部と、  イベントが発生した場合に前記レンジを切り換えるＣＰＵと  を備える。【選択図】                    図１
2010025608.tif 000002
【特許請求の範囲】
【請求項１】
各種測定条件を記憶する記録計において、
優先順位が設定された複数のレンジをチャネルごとに格納する記憶部と、
イベントが発生した場合に前記レンジを切り換えるＣＰＵと
を備えたことを特徴とする記録計。
【請求項２】
前記ＣＰＵは、前記イベントの内容に対応した前記優先順位に従って前記レンジを切り換えることを特徴とする請求項１記載の記録計。
【請求項３】
前記優先順位は、通常動作を行う前記レンジを最も高く設定することを特徴とする請求項１又は２記載の記録計。
【請求項４】
前記レンジは表示ゾーンであり、前記レンジが切り換えられた際に、対応した前記表示ゾーンに従って表示を行うことを特徴とする請求項１から請求項３のいずれかに記載の記録計。
【発明の詳細な説明】
【技術分野】
【０００１】
本発明は、工業用及び計測用の記録計に関し、特にイベント発生に伴うレンジ切り替えを自動的に行う記録計に関する。
【背景技術】
【０００２】
記録計は各種の測定値をテープや記録紙などに記録する計器をいい、近年はペーパーレスで長時間の記録が可能なものが主流となっている。また、このような記録計は測定開始に先立ち測定レンジが設定されるが、このレンジ設定の方法は記録計のパネルに取り付けられたキーを用いて行う他、種々の方法がある。記録計の先行技術文献としては例えば特許文献１が知られている。
【０００３】
【特許文献１】特開平１１―３３７５８６号公報
【０００４】
以下、図４を参照して従来の記録計におけるレンジの設定方法を説明する。図４（Ａ）はキー１２を利用して記録計１０のレンジを設定する例である。（Ｂ）はイーサーネット（登録商標、Ｅｔｈｅｒｎｅｔ（登録商標））又は、ＲＳ４２２／４８５等の汎用通信を使ってパーソナルコンピュータ（ＰＣ）２０で記録計１０のレンジを設定する例である。
【０００５】
（Ｃ）はＰＬＣ（プログラマブル・ロジック・コントローラ）３０と記録計１０をイーサーネット、ＲＳ４２２／４８５等の汎用通信を使って接続し、専用ソフトウエア又はユーザが作成したプログラムを用いてレンジを変更する例である。
【０００６】
次に、図５を参照して従来の記録計１０の構成を説明する。この図で、ＣＰＵ１１０は、記録計１０全体の動作を制御する。ＲＯＭ１２０には記録計１０を動作させるためのプログラム、記録計１０に必要な機能を実行するためのプログラムの他、所定のレンジ（例えば、１ｖ〜１０ｖ、１０ｖ〜１００ｖ）を記録したファイル等が記録されている。
【０００７】
ＲＡＭ１３０にはチャネルごとに第１のレンジが記録されている。アナログ測定入力モジュール１４０には図示しない測定部が接続される。通信部１４１はイーサーネットやＲＳ４２２／４８５等の汎用通信を介してＰＣ等との間でデータのやり取りを行う。キー／表示部１４２は、レンジの設定を行うキー１２と各種測定値を表示する表示部からなる。
【０００８】
図６はＲＡＭ１３０のマッピング例である。図６によれば、３つのチャネル１，２，３ごとに一つのレンジ（第１のレンジ）が設定されている。
【０００９】
次に、図６を参照して図５の動作を説明する。まず、キー／表示部１４２を介してレンジの設定を行う。例えば、ＲＡＭ１３０に記憶するチャネル１用の第１のレンジ１３１として１Ｖレンジ（−１Ｖ〜＋１Ｖ）を設定する。記録計１０は、この設定された１Ｖレンジに従い、ＲＯＭ１２０にインストールされたプログラムを用いて、アナログ測定入力モジュール１４０を介して測定部を動作させ、測定を開始する。
【００１０】
記録計１０がレンジ外のデータ（例えば１．５ｖ）を取得する場合、レンジを変更する必要が生じ、キー／表示部１４２を介して設定レンジを変更し（例えば、２Ｖレンジ（−２Ｖ〜＋２Ｖ)に切り換える）、その後測定を再開する。
【００１１】
具体的には、図４（Ａ）のキー１２を用いて設定レンジを変更するか、通信部１４１を介して図４（Ｂ）のＰＣ２０、又は図４（Ｃ）のＰＬＣ３０で設定レンジを変更する。また、その他の方法としては、ＣＰＵ１１０がＲＯＭ１２０から「所定のレンジを記録したファイル」を読み出し、この内容を第１のレンジ１３１の代わりにＲＡＭ１３０に書き込むことにより設定レンジを変更しても差し支えない。    
【００１２】
このように、従来の記録計では、チャネルごとに一つのレンジを保存していた。
【発明の開示】
【発明が解決しようとする課題】
【００１３】
しかし、従来の記録計１０は、各チャネルに対して１つのレンジしか保存できないため、設定レンジ外のデータが入力される等のイベントが生じた場合には、その都度レンジの設定をやりなおさなければならず、操作が煩雑であった。なお、ここでのイベントとは、デジタル入力，アラーム発生、タイマー・イベント，マッチ・タイム・イベント，ユーザ・ファンクション・キー入力等をいい、単に設定レンジ内のデータが入力されることは含まれない。
【００１４】
本発明は、これらの問題点に鑑みてなされたものであり、イベント発生に伴うレンジ切り替えを自動的に行う記録計を提供することを目的とする。
【課題を解決するための手段】
【００１５】
この様な課題を達成するために本発明は次の構成を備える。
（１）各種測定条件を記憶する記録計において、
優先順位が設定された複数のレンジをチャネルごとに格納する記憶部と、
イベントが発生した場合に前記レンジを切り換えるＣＰＵと
を備えたことを特徴とする記録計。
（２）前記ＣＰＵは、前記イベントの内容に対応した前記優先順位に従って前記レンジを切り換えることを特徴とする請求項１記載の記録計。
（３）前記優先順位は、通常動作を行う前記レンジを最も高く設定することを特徴とする請求項１又は２記載の記録計。
（４）  前記レンジは表示ゾーンであり、前記レンジが切り換えられた際に、対応した前記表示ゾーンに従って表示を行うことを特徴とする請求項１から請求項３のいずれかに記載の記録計。
【発明の効果】
【００１６】
本発明では次のような効果がある。チャネルごとに複数のレンジ設定を記憶するＲＡＭを備えたので、イベントが発生しても自動的にレンジが変更され、測定を継続することができる。
【発明を実施するための最良の形態】
【００１７】
以下、図１を参照して本発明による記録計の構成例を説明する。ただし、図５と同様の構成については同一の符号を付して説明を省略する。本発明では、各チャネルに対して、複数のレンジの内容を保存するため、ＲＡＭ１３０には第１のレンジ１３１の他、新たに第２のレンジ１３２，第３のレンジ１３３が記憶される。また、各レンジには優先順位が設けられ、ここでは第１のレンジ１３１が最も高く、以下第２のレンジ１３２、第３のレンジ１３３の順とする。
【００１８】
次に、本発明の記録計の動作を説明する。まず、ＣＰＵ１１０は第１のレンジ１３１の設定内容をロードし、アナログ測定入力モジュール１４０を起動して測定を開始する。そして、アラーム発生等のイベントが発生した場合にＣＰＵ１１０は、指定された所定のレンジ設定（第２のレンジ１３２，第３のレンジ１３３）に切り換える。
【００１９】
図２に本発明の記録計の動作例を示す。例えば、アラームの設定で閾値（例えば第１のレンジ１３１の内容が１００ｍＶレンジの場合に閾値を１００ｍＶとする。）を設定し、その値を超えた場合にアラームを発生させる。ＣＰＵ１１０は、このアラームの発生を認識し、予めアラームの発生により切り換えられるように優先順位が設定された第２のレンジ１３２にレンジを切り換える。
【００２０】
なお、第３のレンジ１３３の閾値の内容は自由に設定できるが、例えば閾値を２０ｍＶとし、第３のレンジとして２０ｍＶレンジ（−２０ｍＶ〜＋２０ｍＶ）を設定し、更に分解能を上げるような設定としても良い。
【００２１】
また、閾値となる値は、電圧に限られず、電流の他、表示ゾーンの切り替えに利用されるデータ等でも差し支えない。
【００２２】
さらに、図１では３種類のレンジ設定が可能な記録計１００の構成を示したが、第４、第５のレンジをＲＡＭ１３０に設けると共に、それぞれのレンジに閾値を設定しても良い。
【００２３】
このように、チャネルごとに複数のレンジを記憶するＲＡＭ１３０を備えたので、アラーム発生時に自動的にレンジが切り替わり、入力に適したレンジでの測定が可能となる。
【００２４】
次に、図３を参照して本発明の応用例を説明する。図３の記録計１０１にタイマー１５０を設け、このタイマー１５０で所定の時間（例えば１００秒）を設定する。そして、タイマー１５０で設定した時間が経過することをイベントの発生条件として利用しても良い。また、記録計１０１に時計１６０を設け、イベント発生時の時刻を表示部１７０に表示しても良い。
【００２５】
このように時計１６０を設けることによりイベント発生時の時刻を把握することができ、後に行うデータの解析が容易となる。
【００２６】
また、記録計１０１にデジタル入力モジュール１８０を更に備え、図示しない外部のデジタル入力を測定し、そのデジタル値をイベントの発生条件としても差し支えない。
【００２７】
さらに、プリンタや表示機能を持った記録計では、記録及び表示ゾーンの設定がなされるが、表示ゾーンの切り換えについてもイベントの発生を条件としても差し支えない。
【００２８】
つまり、ＲＡＭ１３０が複数の表示ゾーンとその優先順位を記憶する。そして、このＲＡＭ１３０に記憶された表示ゾーンの優先順位は、通常動作を行う表示ゾーンの設定が最も高く設定され、表示ゾーンの切り換えに利用されるデータが入力されイベントが発生すると、ＣＰＵ１１０の命令に基づいてその内容に応じた所定の表示ゾーンに切り換えられる。
【００２９】
このように、イベント発生により表示ゾーンを切り換えることにより、常に実際の測定値に最適な表示ゾーンで測定値を表示することができる。
【図面の簡単な説明】
【００３０】
【図１】本発明の記録計の構成図である。
【図２】本発明によるレンジ変更の概念図である。
【図３】本発明の応用例である。
【図４】（Ａ）はキー１２を利用して記録計のレンジを設定する例であり、（Ｂ）はＰＣで記録計のレンジを設定する例であり、（Ｃ）はＰＬＣで記録計のレンジを設定する例である。
【図５】従来の記録計の構成図である。
【図６】従来の記録計のレンジ設定の概念図である。
【符号の説明】
【００３１】
１００    記録計
１０１    記録計
１１０    ＣＰＵ
１２０    ＲＯＭ
１３０    ＲＡＭ
１３１    第１のレンジ設定
１３２    第２のレンジ設定
１３３    第３のレンジ設定
１４０    入力モジュール
１５０    タイマー
１６０    時計
１７０    表示部
１８０    通信部
【図１】
2010025608.tif 000003
【図２】
2010025608.tif 000004
【図３】
2010025608.tif 000005
【図４】
2010025608.tif 000006
【図５】
2010025608.tif 000007
【図６】
2010025608.tif 000008